(57)【要約】【課題】検体から、核酸の精製、増幅および検出について、一貫してカートリッジ内で行える核酸検出用カートリッジを、簡単な構造で、安価に構築すること。【解決手段】核酸を含む試料から、核酸吸着物質に核酸を吸着させ、核酸吸着物質上の核酸を鋳型にして核酸増幅反応を行い、増幅された産物を検出する一連の工程を、カートリッジで達成することにより、検体中の核酸の有無を迅速簡便に検出することのできる核酸検出用カートリッジ。【選択図】  図１８
2004208512.tif 000002
【特許請求の範囲】
【請求項１】
核酸を含む試料中の核酸を核酸吸着物質に吸着させ、核酸吸着物質に吸着した核酸を鋳型として核酸増幅反応を行わせ、核酸増幅反応の有無を検出するための核酸検出用カートリッジであって、該カートリッジは、（イ）核酸を含む試料をカートリッジに導入する少なくとも１つの注入口または試料槽、（ロ）注入口または試料槽と連通し、核酸吸着物質が設置され、核酸増幅反応の有無が検出可能である少なくとも１つの反応槽、（ハ）反応槽と連通し、核酸増幅反応試薬が収納された少なくとも１つの核酸増幅反応試薬リザーバー、（ニ）反応槽と連通する少なくとも１つの排出口または廃液槽、を包含することを特徴とする核酸検出用カートリッジ。
【請求項２】
反応槽と連通し、洗浄液が収納された少なくとも１つの洗浄液リザーバーを、さらに包含することを特徴とする請求項１記載の核酸検出用カートリッジ。
【請求項３】
核酸を含む試料中の核酸を核酸吸着物質に吸着させ、核酸吸着物質に吸着した核酸を鋳型として核酸増幅反応を行わせ、核酸増幅反応の有無を検出するための核酸検出用カートリッジであって、該カートリッジは、（イ）核酸を含む試料をカートリッジに導入する少なくとも１つの注入口または試料槽、（ロ）注入口または試料槽と連通し、核酸吸着物質が設置された少なくとも１つの反応槽、（ハ）反応槽と連通し、核酸反応試薬が収納された核酸増幅反応試薬リザーバー、（ニ）反応槽と連通し、核酸増幅反応の有無を検出する少なくとも１つの検出槽、（ホ）反応槽および／または検出槽と連通する少なくとも１つの排出口または廃液槽、を包含することを特徴とする核酸検出用カートリッジ。
【請求項４】
反応槽および／または検出槽と連通し、洗浄液が収納された少なくとも１つの洗浄液リザーバーを、さらに包含することを特徴とする請求項３記載の核酸検出用カートリッジ。
【請求項５】
反応槽と連通し、検出試薬が収納された少なくとも１つの検出試薬リザーバーを、さらに包含することを特徴とする請求項１〜４のいずれか１項に記載の核酸検出用カートリッジ。
【請求項６】
核酸を含む試料中の核酸を核酸吸着物質に吸着させ、核酸吸着物質に吸着した核酸を鋳型として核酸増幅反応を行わせ、核酸増幅反応の有無を検出するための核酸検出用カートリッジであって、該カートリッジは、（イ）核酸を含む試料をカートリッジに導入する少なくとも１つの注入口または試料槽、（ロ）注入口または試料槽と連通し、核酸吸着物質が設置され核酸増幅反応の有無が検出可能である少なくとも１つの反応槽、（ハ）反応槽と連通している少なくとも１つの排出口を含む第一カートリッジと、（ニ）第一カートリッジと接合可能な接合部、（ホ）接合部にあり、第一カートリッジの排出口または注入口と連通可能な接合口、（ヘ）接合口に連通し、核酸増幅反応試薬が収納された少なくとも１つの核酸増幅反応試薬リザーバーを含む第二カートリッジ、の少なくとも２つの分離可能なカートリッジから形成されていることを特徴とする核酸検出用カートリッジ。
【請求項７】
第二カートリッジに、接合口と連通し、洗浄液が収納された少なくとも１つの洗浄液リザーバーを、さらに包含することを特徴とする請求項６記載の核酸検出用カートリッジ。
【請求項８】
核酸を含む試料中の核酸を核酸吸着物質に吸着させ、核酸吸着物質に吸着した核酸を鋳型として核酸増幅反応を行わせ、核酸増幅反応の有無を検出するための核酸検出用カートリッジであって、該カートリッジは、（イ）核酸を含む試料をカートリッジに導入する少なくとも１つの注入口または試料槽、（ロ）注入口または試料槽と連通し、核酸吸着物質が設置された少なくとも１つの反応槽、（ハ）反応槽と連通している少なくとも１つの排出口を含む第一カートリッジと、（ニ）第一カートリッジと接合可能な接合部、（ホ）接合部にあり、第一カートリッジの排出口または注入口と連通可能な接合口、（ヘ）接合口に連通し、核酸増幅反応試薬が収納された少なくとも１つの核酸増幅反応試薬リザーバー、（ト）接合口に連通し、核酸増幅反応の有無を検出する少なくとも１つの検出槽、（チ）検出槽と連通している少なくとも１つの排出口または廃液槽を含む第二カートリッジ、の少なくとも２つの分離可能なカートリッジから形成されていることを特徴とする核酸検出用カートリッジ。
【請求項９】
第二カートリッジに、接合口および／または検出槽と連通し、洗浄液が収納された少なくとも１つの洗浄液リザーバーを、さらに包含することを特徴とする請求項８記載の核酸検出用カートリッジ。
【請求項１０】
第二カートリッジに、接合口と連通し、検出試薬が収納された少なくとも１つの検出試薬リザーバーを、さらに包含することを特徴とする請求項６〜９のいずれか1項に記載の核酸検出用カートリッジ。
【請求項１１】
第一カートリッジの排出口または注入口に連通し、廃液を収納する少なくとも１つの廃液槽を、さらに包含することを特徴とする請求項６〜１０のいずれか１項に記載の核酸検出用カートリッジ。
【請求項１２】
連通する部分の少なくとも１つが流路であることを特徴とする請求項１〜１１のいずれか１項に記載の核酸検出用カートリッジ。
【請求項１３】
流路の少なくとも１カ所について、開通および／または閉止、または流路の連通先が変更可能である弁を備えることを特徴とする請求項１２記載の核酸検出用カートリッジ。
【請求項１４】
リザーバーと流路との接合部、および槽と流路との接合部の少なくとも１カ所について、開通および／または閉止を制御する弁を備えることを特徴とする請求項１２または１３記載の核酸検出用カートリッジ。
【請求項１５】
核酸増幅反応以降の工程が、カートリッジの中の密閉された空間内で行われることを特徴とする請求項１〜１４のいずれか１項に記載の核酸検出用カートリッジ。
【請求項１６】
リザーバーおよび廃液槽のうちの少なくとも１つが、カートリッジ本体部分から取り外した状態で保管され、使用時にカートリッジ本体に設置されて核酸単離用カートリッジとして使用されうることを特徴とする請求項１〜１５のいずれか１項に記載の核酸検出用カートリッジ。
【請求項１７】
核酸吸着物質が、核酸吸着フィルターからなることを特徴とする請求項１〜１６のいずれか１項に記載の核酸検出用カートリッジ。
【請求項１８】
核酸吸着フィルターが、濾紙、織布、不織布、マトリックスまたは膜からなることを特徴とする請求項１７記載の核酸検出用カートリッジ。
【請求項１９】
核酸吸着物質が核酸吸着樹脂からなることを特徴とする請求項１〜１６のいずれか１項に記載の核酸検出用カートリッジ。
【請求項２０】
核酸増幅反応が、等温度の反応によって行われることを特徴とする請求項１〜１９のいずれか１項に記載の核酸検出用カートリッジ。
【請求項２１】
カートリッジの少なくとも一部を加熱および／または冷却して温度制御することを特徴とする請求項２０記載の核酸検出用カートリッジ。
【請求項２２】
検出方法が、核酸増幅反応によって新たに生成した核酸を検出する方法であることを特徴とする請求項１〜２１のいずれか１項に記載の核酸検出用カートリッジ。
【請求項２３】
核酸増幅反応によって新たに生成した核酸を、核酸と共存させることにより蛍光強度が変化する物質を用いて、光学的に検出することを特徴とする請求項２２記載の核酸検出用カートリッジ。
【請求項２４】
核酸と共存させることにより、蛍光強度が変化する物質が核酸インターカレーターであることを特徴とする請求項２３記載の核酸検出カートリッジ。
【請求項２５】
核酸増幅反応によって新たに生成した核酸を、該核酸と相補的な配列を持つ核酸を含む物質を用いて検出することを特徴とする請求項２２または２３記載の核酸検出用カートリッジ。
【請求項２６】
検出方法が、核酸増幅反応によって生成したピロリン酸イオンを検出することを特徴とする請求項１〜２１のいずれか１項に記載の核酸検出用カートリッジ。
【請求項２７】
ピロリン酸イオンの検出反応が、不溶性沈殿を生成させる化学反応であることを特徴とする請求項２６記載の核酸検出用カートリッジ。
【請求項２８】
不溶性沈殿を肉眼で観察することにより検出することを特徴とする請求項２７記載の核酸検出用カートリッジ。
【請求項２９】
不溶性沈殿を含む懸濁液に光を照射し、照射された光の散乱を検出することを特徴とする請求項２７または２８記載の核酸検出用カートリッジ。
【請求項３０】
不溶性沈殿を多孔質体フィルターで濾過して捕捉することを特徴とする請求項２７記載の核酸検出用カートリッジ。
【請求項３１】
不溶性沈殿が捕捉されたフィルターを、洗浄液で洗って化学反応を止めることを特徴とする請求項３０記載の核酸検出用カートリッジ。
【請求項３２】
沈殿の捕捉によるフィルターの色の変化を目視で検出することを特徴とする請求項３０または３１記載の核酸検出用カートリッジ。
【請求項３３】
化学反応が、ピロリン酸イオンとマグネシウムイオンの反応であることを特徴とする請求項２７〜３２のいずれか１項に記載の核酸検出用カートリッジ。
【請求項３４】
ピロリン酸イオンの検出反応が、有色の色素を生成させる化学反応であることを特徴とする請求項２６記載の核酸検出用カートリッジ。
【請求項３５】
化学反応が、ピロリン酸イオン、モリブデン酸塩および還元剤の反応であることを特徴とする請求項２７〜３２のいずれか１項、または請求項３４記載の核酸検出用カートリッジ。
【発明の詳細な説明】
【０００１】
【発明の属する技術分野】
本発明は、新規な構造を有する核酸検出用カートリッジに関する。詳しくは、核酸を含む試料から、核酸吸着物質に核酸を吸着させ、核酸吸着物質に吸着した核酸を鋳型にして核酸増幅反応を行い、核酸増幅反応の有無を検出する一連の工程を行うのに用いられる核酸検出用カートリッジに関する。
【０００２】
【従来の技術】
近年、医療における臨床検査の現場では、患者から採取した検体を、臨床の現場において、迅速、かつ、簡便に検査し、結果を判断してすぐに診療に生かす、いわゆる”ポイント・オブ・ケアー・テスト”と呼ばれる診断法が求められている。また、河川、海洋、廃棄物中の有害物質の分析といった環境分野や、食品の細菌や毒物による汚染検査といった食品分野の分析についても、それぞれの現場または現場の近傍で分析・計測を行う”ポイント・オブ・フィールド・テスト”が注目されている。これらの簡易迅速検査においては、できるだけ短時間に、手動で行う操作を減らすことが要求される。すなわち、検体の処理から検出までの工程を、”カートリッジ”と呼ばれる装置の中で完結することが望ましい。
【０００３】
特許文献１に記載の「核酸抽出、増幅および検出を統合する自己充足装置」には、核酸抽出、増幅および検出を行うシリンダー状の装置が開示されている。この発明は、核酸抽出、増幅および検出を統合するとしてものと規定されている。
しかし、この発明は、装置内での反応液などの送液の問題が充分に解決されていない。実際、この特許文献の実施例に示されているのは、核酸の抽出工程、増幅工程および検出工程について、それぞれの要素技術を開示しているにとどまり、「自己充足装置」として要求される各工程を一貫して実施した例は開示されていない。すなわち、シリンダー状の装置では、（イ）液体を送液する場合の流路を作成したり、弁構造を導入する場合に於いて複雑な構造を要求され安価に製造することが困難になる、（ロ）装置内の溶液を送液する場合において、外部からの力を、例えば、ピストンの様な構造体で送液の圧力に結びつけることが困難である、といった問題がある。
以上のように、現在、前記の要求を満たすものは、未だ実用化されていない。
【０００４】
【特許文献１】
特表平１２−５０９１００号公報
【０００５】
【発明が解決しようとする課題】
本発明の課題は、検体から、核酸の精製、増幅および検出について、一貫してカートリッジ内で行える核酸検出用カートリッジを、簡単な構造で、安価に構築することを目的とする。
【０００６】
【課題を解決するための手段】
本発明者は、これらの課題を解決するために、鋭意研究を重ねた結果、本発明を完成させるに至った。
本発明において、核酸とは、ＤＮＡ（ｄｅｏｘｙｒｉｂｏｎｕｃｌｅｉｃ  ａｃｉｄ）またはＲＮＡ（ｒｉｂｏｎｕｃｌｅｉｃ  ａｃｉｄ）を意味し、対象となる材料に含まれるＤＮＡまたはＲＮＡを意味する。
【０００７】
請求項１に係る発明は、核酸を含む試料中の核酸を核酸吸着物質に吸着させ、核酸吸着物質に吸着した核酸を鋳型として核酸増幅反応を行わせ、核酸増幅反応の有無を検出するための核酸検出用カートリッジであって、該カートリッジは、（イ）核酸を含む試料をカートリッジに導入する少なくとも１つの注入口または試料槽、（ロ）注入口または試料槽と連通し、核酸吸着物質が設置され、核酸増幅反応の有無が検出可能である少なくとも１つの反応槽、（ハ）反応槽と連通し、核酸増幅反応試薬が収納された少なくとも１つの核酸増幅反応試薬リザーバー、（ニ）反応槽と連通する少なくとも１つの排出口または廃液槽、を包含することを特徴とする核酸検出用カートリッジである。
【０００８】
本発明により、核酸を含む試料から、核酸吸着物質に核酸を吸着させ、該核酸吸着物質に吸着した核酸を鋳型として核酸増幅反応を行わせ、核酸増幅反応の有無を検出する一連の操作を実施することが可能になる。検出試薬は、核酸増幅反応試薬の中に含まれる。この場合、検出試薬は、核酸増幅反応に影響を与えないような物質である必要がある。カートリッジ内での各工程は、反応槽内にある前工程の溶液を完全に除く必要はなく、リザーバーから順に各試薬を供給していくことにより、核酸検出まで行うことができる。
【０００９】
このカートリッジにおいて、反応槽と連通し、洗浄液が収納された少なくとも１つの洗浄液リザーバーを、さらに包含していてもよい。これにより、核酸を含む試料中に、核酸増幅反応を阻害する物質が含まれている場合において、核酸吸着物質に核酸を吸着させた後、核酸増幅反応を適用する前に、核酸吸着物質を洗浄することができるので、核酸増幅反応が阻害されなくなるので好ましい。
請求項３に係る発明は、核酸を含む試料中の核酸を核酸吸着物質に吸着させ、該核酸吸着物質に吸着した核酸を鋳型として核酸増幅反応を行わせ、核酸増幅反応の有無を検出するための核酸検出用カートリッジであって、該カートリッジは、（イ）核酸を含む試料をカートリッジに導入する少なくとも１つの注入口または試料槽、（ロ）注入口または試料槽と連通し、核酸吸着物質が設置された少なくとも１つの反応槽、（ハ）反応槽と連通し、核酸反応試薬が収納された核酸増幅反応試薬リザーバー、（ニ）反応槽と連通し、核酸増幅反応の有無を検出する少なくとも１つの検出槽、（ホ）反応槽および／または検出槽と連通する少なくとも１つの廃液の排出口または廃液槽、を包含することを特徴とする核酸検出用カートリッジである。
【００１０】
反応槽とは別の位置に検出槽を設ける本発明によって、（イ）反応槽に設置された核酸吸着物質が検出を妨害する場合、（ロ）カートリッジや反応槽部分を加熱する場合において、加熱装置が検出を妨害する場合など、反応槽で検出することが困難な時でも検出可能になるので有用である。
このカートリッジは、反応槽および／または検出槽と連通し、洗浄液が収納された少なくとも１つの洗浄液リザーバーを、さらに包含していてもよい。これにより、核酸を含む試料中に、核酸増幅反応を阻害する物質が含まれている場合において、核酸吸着物質に核酸を吸着させた後、核酸増幅反応を適用する前に、核酸吸着物質を洗浄液で洗浄することができるので、核酸増幅反応が阻害されなくなり有用である。
【００１１】
前記のカートリッジは、反応槽と連通し、検出試薬が収納された少なくとも１つの検出試薬リザーバーを、さらに包含していてもよい。これにより、検出試薬が、核酸増幅反応を阻害するような物質の場合でも、検出試薬を核酸増幅反応試薬とは別試薬にすることができ、核酸増幅反応が終了した後に、検出試薬を反応槽および／または検出槽に導入することが可能になって、核酸増幅反応の有無の検出が容易になるので有用である。
【００１２】
請求項６に係る発明は、核酸を含む試料中の核酸を核酸吸着物質に吸着させ、核酸吸着物質に吸着した核酸を鋳型として核酸増幅反応を行わせ、該核酸増幅反応の有無を検出するための核酸検出用カートリッジであって、該カートリッジは、（イ）核酸を含む試料をカートリッジに導入する少なくとも１つの注入口または試料槽、（ロ）注入口または試料槽と連通し、核酸吸着物質が設置され核酸増幅反応の有無が検出可能である少なくとも１つの反応槽、（ハ）反応槽と連通している少なくとも１つの排出口を含む第一カートリッジと、（ニ）第一カートリッジと接合可能な接合部、（ホ）接合部にあり、第一カートリッジの排出口または注入口と連通可能な接合口、（ヘ）接合口に連通し、核酸増幅反応試薬が収納された少なくとも１つの核酸増幅反応試薬リザーバーを含む第二カートリッジ、の少なくとも２つの分離可能なカートリッジから形成される核酸検出用カートリッジである。この第二カートリッジに、接合口と連通し、洗浄液が収納された少なくとも１つの洗浄液リザーバーを、さらに包含していてもよい。
【００１３】
請求項８に係る発明は、核酸を含む試料中の核酸を核酸吸着物質に吸着させ、核酸吸着物質に吸着した核酸を鋳型として核酸増幅反応を行わせ、核酸増幅反応の有無を検出するための核酸検出用カートリッジであって、該カートリッジは、（イ）核酸を含む試料をカートリッジに導入する少なくとも１つの注入口または試料槽、（ロ）注入口または試料槽と連通し、核酸吸着物質が設置された少なくとも１つの反応槽、（ハ）反応槽と連通している少なくとも１つの排出口を含む第一カートリッジと、（ニ）第一カートリッジと接合可能な接合部、（ホ）接合部にあり、第一カートリッジの排出口または注入口と連通可能な接合口、（ヘ）接合口に連通し、核酸増幅反応試薬が収納された少なくとも１つの核酸増幅反応試薬リザーバー、（ト）接合口に連通し、核酸増幅反応の有無を検出する少なくとも１つの検出槽、（チ）検出槽と連通している少なくとも１つの排出口または廃液槽を含む第二カートリッジ、の少なくとも２つの分離可能なカートリッジから形成される核酸検出用カートリッジである。
【００１４】
この第二カートリッジに、接合口および／または検出槽と連通し、洗浄液が収納された少なくとも１つの洗浄液リザーバーを、さらに包含していてもよい。また、第二カートリッジに、接合口と連通し、検出試薬が収納された少なくとも１つの検出試薬リザーバーを、さらに包含していてもよい。
請求項６および８に係るカートリッジは、請求項１および３に係るカートリッジについて、核酸増幅反応を適用する前の工程と、後の工程について、カートリッジを分割したものである。カートリッジを分割することにより、カートリッジの構造をより簡便にすることが可能になるので好ましい。
【００１５】
第一カートリッジと第二カートリッジの結合の形態としては、（イ）第一カートリッジ全体を、第二カートリッジに封入する、（ロ）第一カートリッジ全体と、第二カートリッジ全体を対等に結合させる、（ハ）第一カートリッジの反応槽を含む一部を取り出して、第二カートリッジに封入する、（ニ）第一カートリッジの反応槽を含む一部を取り出して、第二カートリッジに結合させる、などが挙げられる。
【００１６】
第一カートリッジを第二カートリッジに結合させる前の操作において、第一カートリッジへ洗浄液を導入する場合は、（イ）第一カートリッジに洗浄液リザーバーと、該リザーバーと反応槽を連通する流路を設ける、（ロ）試料の導入口の部分に、取り外し可能な洗浄液リザーバーを取り付けて、洗浄液を供給する、（ハ）リザーバーを用いずに、外部のマイクロピペット等を用いて洗浄液を供給する、などの方法を用いる。第一カートリッジの排出口を、第二カートリッジの接合口に結合させる場合は、第一カートリッジの注入口が、接合後のカートリッジの排出口を兼ねることも可能である。第一カートリッジの注入口を、第二カートリッジの接合口に結合させる場合は、第一カートリッジの排出口が、接合後のカートリッジの排出口を兼ねることも可能である。
【００１７】
本発明のカートリッジにおいて、連通する部分の少なくとも１つが流路であってもよい。連通する部分を流路として設置することにより、リザーバーや各槽の間の送液が容易になるので好ましい。さらに、流路の少なくとも１カ所について、開通および／または閉止、または流路の連通先が変更可能である弁を備えることができる。これにより、反応、液体の流れなどの制御をより正確に行うことができる。
【００１８】
弁の構造は限定されるものではないが、例えば、本出願人に係る別途の発明である化学反応用カートリッジ（特願第２００１−３９３４４５号）に開示されている弁を用いると、カートリッジ内の流路において、その流路の開通および／または閉止を制御する弁を容易に作成することができる。この弁は、棒状部材を有し、該棒状部材は該カートリッジ内の流路に対して移動が可能であり、該棒状部材は、開区間と閉区間を有する。開区間は、閉区間よりも移動方向に対する垂直な面への投影面積が小さい構造である。棒状部材の移動によって、カートリッジ内の流路と、棒状部材の開区間が連通することにより、弁が開通となり、棒状部材の移動によって、カートリッジ内の流路が棒状部材の閉区間によってふさがれることで、弁が閉止となる。
【００１９】
その他にも、市販されている静脈点滴注射に用いられるプラスチック製の三方弁に類似した構造のものを、カートリッジ内の流路に設けることでも達成できる。このような回転型構造の弁の場合、複数流路について、同時に連通する先を変更する弁を作成することが可能になる。
各リザーバーと流路との接合部、および各槽と流路との接合部の少なくとも１カ所に、開通および／または閉止を制御する弁を備えていてもよい。この弁により、リザーバーや反応槽からの液体の制御がより正確に行われるので好ましい。
弁の構造は特定されるものではないが、例えば、リザーバーまたは槽の出口になるカートリッジ流路との接合部を、あらかじめ破損可能なシール材料で接着し、閉止状態にしておいて、開通状態にする必要がある時に、リザーバーや槽に圧力をかけ、圧力によりシール材料またはシール材料の一部を破損させる、などにより閉止状態から開通状態に変更可能な弁を作成することができる。
【００２０】
以上述べた本発明のカートリッジにおいて、核酸増幅反応以降の工程を、カートリッジの中の密閉された空間内で達成してもよい。これにより、核酸増幅反応およびそれ以降の工程が密閉された空間内で達成されるので、核酸増幅反応によって増幅された特定の配列の核酸が、別の検体に混入することがさけられる。もし、このような混入が起きた場合には、もともとの検体には、目的の核酸が含まれていないにもかかわらず、核酸が含まれているという誤った結果を与えることになる。
【００２１】
密閉構造を達成するための構造は限定されないが、例えば、（イ）外気と連通する全ての流路において、弁を閉じて密閉する、（ロ）注入口、排出口などの外気に接触する部分に、栓またはベント膜（気体分子は通過させるが、液体は通過させない膜）を用いて密閉構造にする、（ハ）カートリッジ内の液体や気体と、外気との接触部分にベント膜を用いて密閉する、などが挙げられる。特に、カートリッジに、反応後の液体を収納する廃液槽を設ける場合は、その構造を密閉構造にすることは有用である。
廃液槽を密閉構造にする方法には限定されないが、例えば、（イ）ピストンを設置した密閉構造とし、廃液の導入と連動させてピストンを移動して廃液槽の体積を増加させる、（ロ）蛇腹やゴムなどのエラストマーで作成し、廃液の導入と連動させて廃液槽の体積を増加させる、（ハ）密閉した減圧状態にしておき、陰圧によって廃液を導入する、などの方法が挙げられる。
【００２２】
本発明のカートリッジにおいて、各リザーバーおよび廃液槽のうちの少なくとも１つが、カートリッジから取り外した状態で保管され、使用時にカートリッジに設置して使用する構造であってもよい。リザーバーの取り外しが可能であれば、リザーバーに収納されている試薬を、（イ）リザーバー部分を冷凍、冷蔵などで低温保存し、使用時にカートリッジ本体に設置して使用する、（ロ）リザーバー内の試薬を凍結乾燥などの手法によって乾燥状態で保存しておき、使用時に液体を添加して溶解しカートリッジ本体に設置して使用する、（ハ）同一の導入口または注入口から、複数のリザーバーを順次取り換えながらカートリッジ内に試薬を送液する、などの手段が可能になるので好ましい。また、廃液槽の取り外しが可能であれば、例えば、内部を真空状態に保った廃液槽をカートリッジから取り外した状態で保存しておき、使用時にカートリッジ本体に設置して使用することが可能になる。この場合、廃液槽の陰圧を、カートリッジ内の液体の送液に使うことも可能である。
【００２３】
本発明のカートリッジにおいて、核酸吸着物質が、核酸吸着フィルターで構成されていてもよい。核酸吸着物質として、核酸吸着フィルターを用いた核酸検出用カートリッジを用いることにより、核酸吸着物質を反応槽に容易に設置することが可能になり、検体からの核酸を効率よく、核酸吸着物質上に吸着させることが可能になる。ここでフィルターとは、一方の面から他方の面に連通する多数の微細な孔を有する通気性のフィルム、シート、膜、板、塊状、繊維状、粒状等の任意の形態を意味する。フィルターの孔の形状やその連通状態、フィルターの厚さ、寸法等は、反応槽に設置できるものであればよい。
【００２４】
多孔質体からなるフィルターは、有機材料および無機材料のいずれからなっていてもよく、また天然材料、合成材料または半合成材料からなっていてもよい。
具体的には、ナイロン、ポリプロピレン、セルロース、セルロースアセテートとニトロセルロースの混合物、ポリテトラフルオロエチレン、ポリビニリデンフロライド、ガラス、テフロン（登録商標）、ポリエチレン、セラミック、金属、ポリカーボネート、ポリエステル、セルロースエステル、ポリアミド、ポリスルホン、ポリイミド、ポリ塩化ビニル、ポリスチレン、ＸＲレジンまたはパーフルオロスルホン（カルボン）酸などがフィルターの素材として使用可能である。
【００２５】
フィルターの例としては、天然、合成、半合成または再生の、有機または無機繊維からなる多孔質体；有機または無機発泡体（例えばスポンジ、フォームなど）；孔成分の溶出、焼結、延伸、穿孔などにより孔形成された有機、無機多孔質体；有機または無機の微粒子や細片を充填または結合した多孔質体などを挙げることができる。
膜の種類としては、焼結膜、延伸膜、飛跡―浸蝕膜、非対称型・多孔質相転換膜、非対称膜、複合膜、均質膜、イオン交換膜などが挙げられる（バイオ分離工学ハンドブック  ｐ２３０、  サイエンスフォーラム）。具体的には、ワットマン社製の濾紙、ミリポア社製のミリポアフィルター、多孔質ポリウレタンシート（テルモ社製のイムガード（登録商標）ＩＩＩ―ＲＣのメインフィルターなど）、ＧＥＮＥＲＡＴＩＯＮ（登録商標）ＤＮＡ  Ｐｕｒｉｆｉｃａｔｉｏｎ  Ｃａｐｔｕｒｅ  ＣｏｌｕｍｎTMで使用されているマトリックス（Ｇｅｎｔｒａ  Ｓｙｓｔｅｍｓ社製）、シリカ膜などが使用可能である。
【００２６】
本発明でいうメンブランフィルターとは、前記のミリポアフィルターに代表される均一な細孔を有する合成高分子膜のことである。ネットフィルターとは、縦糸と横糸とが交錯して規則正しい網目構造を形成している網のことである。本発明には、孔径が０．２〜３０μｍのメンブランフィルターまたはネットフィルターを使用できる。フィルターの孔径が０．２μｍ未満では濾過が困難になり、３０μｍを越えると核酸の吸着が起こりにくくなる。
【００２７】
核酸吸着フィルターとして濾紙を用いた場合は、材料として安価であり、実験用の資材として市販されているものを用いることができるので好ましい。濾紙として、セルロースを主成分とする濾紙を用いることが好ましい。
織布または不織布は、材料として安価である上に、濾紙よりも機械的強度が強いので好ましい。織布とは、縦糸と横糸とが交錯してできた布地を意味する。不織布とは、短繊維またはフィラメントを機械的、熱的、化学的な手段を用いて接着または交絡させて作るシート状またはウェブ構造のものである（第二版  繊維便覧  繊維学会編  丸善）。
【００２８】
不織布は、さまざまな方法で生産されるが、基本的な工程は、ウェブ（繊維の方向がある程度揃った繊維塊のシート状のもの）の形成工程、ウェブの接着工程、および仕上げ工程である。不織布には天然繊維から化学繊維まで種々の繊維が用いられているが、一般的に用いられているのは綿、レーヨン、ポリエステル繊維、ポリプロピレン繊維、ナイロン繊維であり、その他にもアクリル繊維、ビニロン、ガラス繊維、パルプ、炭素繊維なども使用される。ウェブを形成する方式は、湿式、乾式および直接式に大別される。直説法は、紡糸直結式ともいわれる方法で、溶融高分子溶液から紡糸された繊維を集めて直接ウェブとする工程である。これに含まれる方法は、スパンレース法、スパンボンド法、メルトブロー法、ニードルパンチ法、ステッチボンド法などであるが、本発明には、メルトブロー法でつくられた超極細繊維不織布が最も適している。
【００２９】
このような不織布として、本出願人に係る国際特許出願ＰＣＴ／ＪＰ０２／０６９３９号には、核酸を単離し増幅する方法に用いられる不織布が開示されている。不織布の孔径は２〜１５０μｍのものが好ましく、７〜１３μｍのものがより好ましい。ここで、不織布の平均孔径とは、水銀ポロシメーターによって測定した測定値（メディアン値）をいう。平均孔径は、フィルター要素を構成する繊維の絡み具合や空隙の大きさに関連している指標である。
【００３０】
織布の素材としては、木綿、絹、人絹、アクリル繊維、ポリエチレンテレフタレート繊維などのポリエステル繊維、ポリプロピレン繊維、ナイロン繊維などが用いられる。その他、布地に織ることができるもの、不織布に加工できるものであれば素材は限定されない。
これらの中でも、ポリエチレンテレフタレート繊維などのポリエステル繊維、ポリプロピレン繊維、ナイロン繊維からなる織布および不織布が好ましい。
【００３１】
本発明の核酸吸着物質として、核酸吸着樹脂を用いてもよい。核酸吸着樹脂は、フィルター以外の形状にも加工することができるため、反応槽への設置の制約が少ないので好ましい。この樹脂は、流路内で液体の流れによって移動しないように、メッシュ状のもので固定されていることが好ましい。樹脂の材質として、例えば、国際公開第９８／４６７９７パンフレットに記載されているシリコン、硼素、アルミニウムの元素を含むものを用いることが好ましい。このような樹脂としてＸｔｒａｎａ社よりＸｔｒａＡｍｐTMの商品名で市販されている、プラスチック容器内に固定されている核酸吸着樹脂を用いることができる。
【００３２】
カートリッジの少なくとも一部を加熱および／または冷却して温度制御することにより本発明の核酸増幅反応が遂行される。この核酸増幅反応は、等温度の反応によって行われる反応を用いることが好ましい。例えば、核酸増幅反応として広く実施されているポリメラーゼ・チェイン・リアクション（ＰＣＲ）を用いる場合、カートリッジ内における核酸吸着物質が保持されている反応槽の部分を、少なくとも２つの異なる温度に交互に加温、冷却を繰り返す必要がある。しかし、核酸増幅反応が等温度で進行する反応を用いれば、一定温度への制御のみで核酸増幅反応が実施される。そのため、２つの温度に加温と冷却を行う場合に比べて、はるかに容易に実施することが可能である。
【００３３】
等温度の核酸増幅反応を行う為には、カートリッジ全体を核酸増幅反応の温度に加温することもできるが、温度の効率、制御の容易さなどの理由から、カートリッジの反応槽を加熱することが好ましい。加熱は、カートリッジの外部に設置した装置で行うことができる。例えば、温度検出器、電気による発熱体および制御装置を組み合わせた外部装置によって達成される。温度制御をより厳密に行うために、冷却装置を付け加えて加熱と冷却を同時に行ってもよい。温度検出器としては、熱電対が使われるが、その他の温度検出器も使用可能である。
【００３４】
発熱源として、温度によって抵抗値の変わる素子（ＰＴＣ素子）を利用して一定温度の加熱を達成することもできる。この場合は、温度検出器を省略することができる。外部装置を必要としない、カートリッジ内に加温装置を備えた構造にすることも可能である。この場合、カートリッジ内に、加熱および／または冷却するためのエネルギー源を必要とする。例えば、エネルギー源として乾電池を用いて、カートリッジ内の発熱源を加熱および／または冷却して温度制御を行うことができる。
【００３５】
発熱源をカートリッジ内部に、エネルギー源をカートリッジ外部にすることも可能である。また、中和反応や水和反応などの化学的な発熱および／または吸熱反応を用いてもよい。
カートリッジへの加熱および／または冷却が正しく行われることを確認するために、（イ）カートリッジまたは反応槽に近い部分に温度計を設置する、（ロ）カートリッジまたは反応槽に近い部分に、温度によって変色するラベルなどを貼付する、ことも有用である。加熱および／または冷却は、核酸増幅反応に必要な時間だけ行われればよいので、所要時間経過した後、温度制御を停止したり、警報を鳴らす為のタイマーを設置してもよい。
【００３６】
等温度の核酸増幅反応として、既に実用化されている方法を用いることが好ましい。このような反応として、ＬＡＭＰ（Ｌｏｏｐ−Ｍｅｄｉａｔｅｄ  Ｉｓｏｔｈｅｒｍａｌ  Ａｍｐｌｉｆｉｃａｔｉｏｎ），ＩＣＡＮ（Ｉｓｏｔｈｅｒｍａｌ  ａｎｄ  Ｃｈｉｍｅｒｉｃ  ｐｒｉｍｅｒ−ｉｎｉｔｉａｔｅｄ  Ａｍｐｌｉｆｉｃａｔｉｏｎ  ｏｆ  Ｎｕｃｌｅｉｃ  ａｃｉｄｓ），ＳＤＡ（Ｓｔｒａｎｄ  Ｄｉｓｐｌａｃｅｍｅｎｔ  Ａｍｐｌｉｆｉｃａｔｉｏｎ）、ＴＭＡ（Ｔｒａｎｓｃｒｉｐｔｉｏｎ―Ｍｅｄｉａｔｅｄ  Ａｍｐｌｉｆｉｃａｔｉｏｎ）、ＮＡＳＢＡ（Ｎｕｃｌｅｉｃ  Ａｃｉｄ  Ｓｅｑｕｅｎｃｅ  Ｂａｓｅｄ  Ａｍｐｌｉｆｉｃａｔｉｏｎ）、ＳＣＡＲ、ＳＭＡＲＴ、ｂＤＮＡ（Ｂｒａｎｃｈｅｄ  ＤＮＡ  Ａｓｓａｙ）、ＣＰＴ（Ｃｙｃｌｉｎｇ  Ｐｒｏｂｅ  Ｔｅｃｈｎｏｌｏｇｙ）、Ｑ―Ｂｅｔａ  Ｒｅｐｌｉｃａｓｅ  Ａｍｐｌｉｆｉｃａｔｉｏｎ  Ｔｅｃｈｎｏｌｏｇｙ、ＲＣＡＴ（Ｒｏｌｌｉｎｇ  Ｃｉｒｃｌｅ  Ａｍｐｌｉｆｉｃａｔｉｏｎ  Ｔｅｃｈｎｏｌｏｇｙ）、などが挙げられる。特に、ＬＡＭＰ法は、増幅の効率が高く、反応時間が短いので好ましい。
【００３７】
本発明における検出方法は、核酸増幅反応によって新たに生成した核酸を検出する方法であることが好ましい。その方法として、核酸と共存させることにより蛍光強度が変化する物質を用いて、光学的に検出する方法がより好ましい。このような物質として、核酸インターカレーターを用いると検出が容易になるので好ましい。インターカレーターは、核酸増幅反応により生成した核酸と結合し、照射した光（励起光）よりも波長の長い光（放出光）を発するようになる（一般的に蛍光と呼ばれる）。例えば、エチジウムブロマイド、サイバーグリーン（ＳＹＢＲ（登録商標）Ｇｒｅｅｎ、Ｍｏｌｅｃｕｌａｒ  Ｐｒｏｂｅｓ社製）、ピコグリーン（ＰｉｃｏＧｒｅｅｎ（登録商標）、Ｍｏｌｅｃｕｌａｒ  Ｐｒｏｂｅｓ社製）、オリグリーン（ＯｌｉＧｒｅｅｎ（登録商標）、ＭｏｌｅｃｕｌａｒＰｒｏｂｅｓ社製）、ヘキスト３３２５６（Ｈｏｅｃｈｓｔ３３２５８、Ｍｏｌｅｃｕｌａｒ  Ｐｒｏｂｅｓ社製）などの、市販のインターカレーターを用いることができる。
【００３８】
インターカレーターの代わりに、核酸増幅反応によって新たに生成した核酸と相補的な配列を持つ核酸を含む物質を用いて検出すれば、増幅された核酸の配列を特異的に検出することが可能になり好ましい。このような物質として、増幅された核酸と相補的な配列をもつオリゴ核酸に蛍光を発する低分子や、蛍光を消光させる低分子を結合させたプローブを用いることができる。プローブは、増幅により生成した核酸とハイブリダイズさせることにより蛍光を発するようになる、またはプローブがもともと持っている蛍光が消失するように設計することも可能である。
【００３９】
検出は、これらの物質が核酸と共存することにより、紫外線や可視光線等を照射した場合の蛍光や蛍光の消失を、光センサーや目視で行う。簡便な検出が必要な場合には、目視によって識別できる方法が好ましい。一方、検出結果を電子媒体などに記憶する場合には、光センサーを用いて機械的に検出する方法が好ましい。
励起光および放出光の波長は、使用する物質により最適な値が異なる。励起光が紫外線で、放出光が可視光となる物質を使用した場合、カートリッジの反応槽または検出槽に紫外線をあてることにより、目視で検出することができる。励起光と放出光が、共に可視光となる物質を使用した場合は、励起光を通さず、放出光を通すフィルター（干渉フィルター）、または励起光を通し、放出光を通さないフィルターを用いる方法が用いられる。これらの干渉フィルターを両方使用してもよい。フィルターの代わりに分光器（プリズム、グレーディング等）を用いる方法もあるが、検出する機器が高価になる。
【００４０】
核酸増幅反応においては、目的の核酸が存在しない場合でも、核酸増幅反応に用いるプライマーどうしが酵素の働きにより二本鎖のＤＮＡになる、いわゆるプライマーダイマーを生成する場合がある。この場合、インターカレーターは、プライマーダイマーにも反応するので、単なる蛍光の検出だけでは、検体中に目的の核酸が存在したことによる特異的な増幅なのか、プライマーダイマー生成による非特異増幅なのか区別がつきにくい場合がある。このような場合には、プローブを用いた検出が好ましい。
【００４１】
非特異的に増幅したプライマーダイマーと特異的な増幅産物を分離して検出することも可能である。例えば、ゲル濾過クロマトグラフィーを用いて分子量による分離を行うことが考えられる。乾燥したゲルをシート状にしておき、一方から核酸増幅反応を終えた試料を注入する。増幅物は分子量が大きいので、シートの先端側に移動する。一方、プライマーダイマーは、遅れて移動する。シートが溶液で満たされた後は、毛細管現象が見られなくなるので、試料溶液は移動しなくなる。この後、シートの先端部分について蛍光等を用いて検出する。この際、インターカレーターは、あらかじめ反応溶液に加えることもできる。また、ゲル内にあらかじめしみこませておき、試料の移動とともに試料内に溶け出して反応するといった方法が考えられる。
【００４２】
非特異的に増幅したプライマーダイマーと特異的な増幅産物を分離する別の方法として、増幅産物を含む溶液を、別の核酸吸着物質に、もう一度吸着させる方法が考えられる。例えば、核酸増幅反応を終えた液をインターカレーターと混合し、カートリッジ内の反応槽とは異なる部分に設置した不織布に導くことにより、特異的な増幅産物は不織布上に残り、非特異的に増幅したプライマーダイマーは不織布上に残らずに廃液側に導かれる。不織布上に残っている特異的増幅産物のＤＮＡを検出すれば、特異的増幅の有無を検出することが可能である。
【００４３】
更に、増幅した核酸を電気泳動によって分離して検出する方法、増幅された核酸と相補的な配列をもつオリゴ核酸を用いてハイブリダゼーションの手法で検出する方法など、当業者の間で一般的に行われている核酸の検出方法が適用可能である。しかし、これらの手法を用いて、カートリッジで検出を行う場合、複雑な機構を必要とする。
本発明における別の検出方法として、核酸増幅反応によって生成したピロリン酸イオンを検出することによる核酸増幅反応の検出も適用可能である。ピロリン酸イオンを検出する方法としては、化学反応による方法が有用である。さらに、化学反応が、沈殿形成の反応または有色の発色反応であれば、肉眼による検出、吸光度測定、散乱光測定、熱レンズを用いた検出などが可能になる。化学反応が発光を伴う反応であれば、肉眼での検出、光センサーを用いた検出などが可能になる。簡便な検出が必要な場合には、目視よって識別できる方法が好ましい。
【００４４】
一方、検出結果を電子媒体等に記憶する場合には、吸光度、散乱光、熱レンズ、光センサー等、機械的に測定する方が好ましい。沈殿形成反応の場合、生成した沈殿を多孔質フィルター上に捕捉すれば、肉眼での検出がさらに容易になる。この場合、沈殿とフィルターの色は異なっていることが望ましい。すなわち、沈殿の色が白色の場合には、フィルターは有色であることが好ましく、沈殿が有色の場合には、白色または沈殿と異なる色調のものであることが好ましい。また、検出槽に連通する洗浄液リザーバーを設置して、検出反応によって生成した不溶性沈殿をフィルターに捕捉した後、そのフィルターを洗浄すれば、洗浄によって検出反応が停止されるので、最適な検出ポイントで反応を停止して目視判定でき、また、時間が経過した後に結果を確認することも可能になるので有用である。
この時に用いられる洗浄液は、フィルターに捕捉された色素を可溶化することなく、ピロリン酸イオン検出のための試薬やピロリン酸、リン酸、またはこれらを発生させる化合物を洗浄できる溶液であればよい。例えば、モリブデン酸アンモニウムの硫酸溶液、２―メルカプトエタノール、ピロリン酸イオンの３つの物質の反応で生成した青色色素の洗浄には硫酸が使用できる。
【００４５】
検出する方法として、ピロリン酸イオンとマグネシウムイオンの化学反応による白色の沈殿形成反応を方法を用いる場合には、検出試薬としてマグネシウムイオンを核酸増幅反応試薬にあらかじめ添加しておけば、化学反応として、検出試薬リザーバーを別途カートリッジ内に設置する必要が無いので好ましい。
その他、ピロリン酸イオンと化学反応して白色の沈殿を生じる物質として、バリウムイオン、銀イオン、マグネシウムイオン、カドミウムイオンが挙げられる。銅イオンは青白色の沈殿を生じる。これらのイオンを含む溶液を検出試薬として使用することができる。
【００４６】
検出する方法として、ピロリン酸イオン、モリブデン酸塩および還元剤による化学反応を用いる場合、モリブデン酸塩としては、ピロリン酸イオンと錯体をつくるものであれば如何なるものでも使用可能である。このようなモリブデン酸塩の例としては、モリブデン酸アンモニウムがある。還元剤としては、ピロリン酸イオンとモリブデン酸アンモニウムが反応してできる錯体を還元して、青緑色の化合物を生成させるものであれば如何なるものでも使用可能である。このような還元剤の例としては、２−メルカプトエタノール、１−チオグリセロール、ＤＬ−ジチオトレイトール（ＤＴＴ）などのメルカプト基を有する還元剤が挙げられる。
【００４７】
その他、ピロリン酸をＡＴＰに変換してルシフェリン−ルシフェラーゼの系で発光させて検出する方法は、感度が高いので核酸増幅反応が微妙にしか起こらない場合に検出手法として有用である。ピロリン酸イオンをリン酸イオンに分解して、リン酸イオンを検出することも可能である。
本発明のカートリッジの作成方法は限定されるものではないが、例えば、本出願人に係る別途の発明である化学反応用カートリッジ（特願第２００１−３９３４４５号）を用いれば、容易に作成することが可能である。この化学反応用カートリッジは、（イ）弾性材料からなる少なくとも１枚の気密用平板状部材を、該弾性材料よりも低い弾性と高い硬度を有する材料からなる少なくとも２枚の基板用平板状部材が交互に挟み圧着して構成される３層以上の積層構造を有し、（ロ）該流路は、該基板用平板状部材に設けられた溝及び／または穴、該気密用平板状部材に設けられた溝及び／または穴、あるいは、該試料、該試薬または該混合流体の圧力によって気密用平板状部材の部分が変形することにより形成される空隙、からなる群より選択される少なくとも１つにより構成され、（ハ）該リザーバー及び／または反応槽は、該気密用平板状部材及び／または該基板用平板状部材に設けられた溝及び／または穴により構成されている。
【００４８】
本発明のカートリッジの材質としては、金属、ガラス、セラミックスなどを用いることもできるが、加工の容易さからプラスチックが好ましい。具体的には、ポリ塩化ビニール樹脂、ポリエチレン樹脂、ポリプロピレン樹脂、ポリ塩化ビニリデン樹脂、ポリウレタン樹脂、ナイロン樹脂、ポリスチレン樹脂、ＡＢＳ樹脂、アクリル樹脂、フッ素樹脂、ポリカーボネート樹脂、メチルペンテン樹脂、フェノール樹脂、メラミン樹脂、エポキシ樹脂などが挙げられる。
【００４９】
カートリッジ内に、弁や、流路内の液体、気体の気密性を保つためにパッキングとして、ゴムなどの弾性体を用いてもよい。このような弾性体としては、天然ゴム、ブタジエンゴム、スチレンゴム、ブチルゴム、エチレン・プロピレンゴム、ニトリルゴム、アクリルゴム、ウレタンゴム、シリコンゴム、フッ素ゴム等のゴム類、軟質塩化ビニール樹脂、ポリエチレン樹脂、ポリプロピレン樹脂、ポリ塩化ビニリデン樹脂、ポリウレタン樹脂、フッ素樹脂、ナイロン樹脂などが挙げられる。
【００５０】
カートリッジとしての形状を完成するための部品、弁に用いる部品、加熱および／または冷却する場合において熱を効率良く伝える為の部品などは、プラスチックの他、アルミニウム、真鍮、鉄、銅、ステンレス、チタン合金、マグネシウム合金、ジュラルミンなどの金属であってもよい。カートリッジに熱を加える場合には、その加熱部分が設定した温度において、機械的強度を維持できる材質が必要である。
【００５１】
本発明のカートリッジにおける送液は、（イ）リザーバー部分をカートリッジ外の装置に設置されたアクチュエータで押し、その圧力によって送液する、（ロ）リザーバー部分を手で押し、その圧力によって送液する、（ハ）排出口から吸引して送液する、（ニ）廃液槽を陰圧にして送液する、（ホ）液体にかかる重力により送液する、（ヘ）カートリッジ外部から、またはカートリッジに内蔵した電池から電気を供給して、カートリッジ内に設置されたポンプで送液する、（ト）カートリッジ外部から、またはカートリッジに内蔵した電池から電気を供給して、電気浸透流（ＥＯＦ：ｅｌｅｃｔｒｏｏｓｍｏｔｉｃ  ｆｌｏｗ）を利用して送液する、などが挙げられるが、これらに限定されるものではない。
【００５２】
本発明のカートリッジには、一連の反応工程を達成できる複数の槽、リザーバー、流路などを作成して、複数試料を同時に測定することも可能である。特に、核酸増幅反応が正しく達成させたことを確認する陽性対照（ポジティブコントロール）および／または陰性対照（ネガティブコントロール）を同一のカートリッジ内で達成できるようにすることが好ましい。複数試料を測定する場合には、同一のリザーバー内の試薬を複数の反応槽などへ導いて測定しても、それぞれ別のリザーバーを用いてもよい。
【００５３】
本発明のカートリッジにおいて、測定する試料を区別するためにラベルを貼付したり、コンピューター等に読みとらせることが可能なバーコードやＩＣチップなどを取り付けておくことは有用である。
本発明の核酸検出用カートリッジを用いて行う検出対象となる核酸を含有する材料としては、例えば、人の疾患の診断に用いる臨床検体である喀痰、唾液、尿、便、精液、血液、組織、臓器、その他の体液、これらの体液の分画、微生物汚染の検査に用いる食品、飲料水、土壌、排水、河川水、海水、ふき取り液、ふき取り綿などが挙げられる。また、例えば大腸菌などの細菌懸濁液を使用することができる。カートリッジに導入するまでの試料の前処理については、マイクロピペットなどを用いて手動で遂行する。試料を直接カートリッジに導入することも可能である。また前処理操作をカートリッジ内の工程に組み込むことも可能である。
【００５４】
【発明の実施の形態】
以下、実施例により本発明を具体的に説明するが、本発明は、何らこれに限定されるものではない。
実施例中に記載された長さ、深さ、直径等の数値は単なる例示であって、本発明はこれらの数値に限定されるものではない。なお、実施例で用いた図面中、寸法の単位はｍｍである。
【００５５】
【実施例１】
本発明のカートリッジを以下の方法によって作成した。図１〜図８に示す４種類の基板（１ａ、２ａ、３ａ、４ａ）を、それぞれアクリル板で作成した。
図１は、直径１．６ｍｍの多数の穴（１ｂ）、およびＭ４の１０個の雌ネジ穴（１ｃ）が設けられた縦３２ｍｍ、横１１２ｍｍ、厚さ３ｍｍの基板（１ａ）の平面図、図２は、図１のＡ−Ａ’に沿って切断した断面図、図３は、直径１．６ｍｍの多数の穴（２ｂ）、直径０．５ｍｍの１０個の穴（２ｃ）、直径７．５ｍｍの１個の穴（２ｄ）、幅０．５ｍｍ、深さ０．５ｍｍの５本の溝（２ｅ）が設けられた縦３２ｍｍ、横１１２ｍｍ、厚さ１ｍｍの基板（２ａ）の平面図、図４は、図３のＢ−Ｂ’に沿って切断した断面図、図５は、直径１．６ｍｍの多数の穴（３ｂ）、直径０．５ｍｍの１個の穴（３ｃ）、直径７．５ｍｍの２個の穴（３ｄ）、幅０．５ｍｍ、深さ０．５ｍｍの２本の湾曲した溝（３ｅ）が設けられた縦３２ｍｍ、横１１２ｍｍ、厚さ１ｍｍの基板（３ａ）の平面図、図６は、図５のＣ−Ｃ’に沿って切断した断面図、図７は、直径１．６ｍｍの多数の穴（４ｂ）、幅０．５ｍｍ、深さ０．５ｍｍの２本の溝（４ｅ）が設けられた縦３２ｍｍ、横１１２ｍｍ、厚さ１ｍｍの基板（４ａ）の平面図、図８は、図７のＤ−Ｄ’に沿って切断した断面図である。
【００５６】
図９〜図１３に示す３種類の気密板（５ａ、６ａ、７ａ）を、それぞれシリコンゴム板で作成した。
図９は、直径１．８ｍｍの多数の穴（５ｂ）、直径４．０ｍｍの１０個の穴（５ｃ）、直径７．５ｍｍの１個の穴（５ｄ）が設けられら縦３２ｍｍ、横１１２ｍｍ、厚さ１ｍｍの気密板（５ａ）の平面図、図１０は、図９のＥ−Ｅ’に沿って切断した断面図、図１１は、直径１．８ｍｍの多数の穴（６ｂ）、直径１ｍｍの２個の穴（６ｅ）、直径５ｍｍの１個の穴（６ｃ）、直径７．５ｍｍの１個の穴（６ｄ）が設けられた縦３２ｍｍ、横１１２ｍｍ、厚さ１ｍｍの気密板（６ａ）の平面図、図１２は、図１１のＦ−Ｆ’に沿って切断した断面図、図１３は、直径１．８ｍｍの多数の穴（７ｂ）、直径５ｍｍの１個の穴（７ｃ）、直径７．５ｍｍの１個の穴（７ｄ）、直径１ｍｍの穴が２個（７ｅ）が設けられた縦３２ｍｍ、横１１２ｍｍ、厚さ１ｍｍの気密板（７ａ）の平面図、図１４は、図１３のＧ−Ｇ’に沿って切断した断面図である。
【００５７】
図１５に示す円柱形の棒状部材（８）をステンレス棒で作成した。
直径７ｍｍに切断した円盤状のポリエレンテレフタレート製の不織布（旭化成社製）を基板（３ａ）の７．５ｍｍの穴の部分（図１６の９ａに相当する図５の３ｄ）に挿入し、シリコンゴム製のパッキン（９ｂ）（外径７．５ｍｍ、内径５ｍｍ、厚さ１ｍｍ）で押さえた。基板（１ａ、２ａ、３ａ、４ａ）および気密板（５ａ、６ａ、７ａ）を交互に積層して、ステンレス製鍋ネジとナット（９ｇ）（Ｍ１．６、長さ１２ｍｍ）を用いて固定し、核酸検出用カートリッジの本体部分（１０）を作成した。カートリッジ本体の平面図を図１６に、そのＨ−Ｈ’に沿って切断した断面図を図１７に示す。図１６の９ｃ、９ｄ、９ｅ、９ｆの部分は、棒状部材（８）を挿入して弁を形成した。
【００５８】
各リザーバーとして、７本のプラスチック製注射筒（１ｍｌ、テルモ社製）の先端を、基板１ａ（図１）の雌ネジ穴とかみ合うように雄ネジに加工（Ｍ４）した。各注射筒に、下記に示す所定の溶液を充填した後、先端部分に、破損可能なシール材として、直径３ｍｍの円形に切断したパラフィルムを貼付した。カートリッジ本体部分（１０）の取り付け口（９ｈ、９ｉ、９ｊ、９ｋ、９ｌ、９ｍ、９ｎ）に、各リザーバーをそれぞれ取り付けた。廃液槽１（１１ｐ）として、プラスチック製注射筒（２．５ｍｌ、テルモ社製）の先端を、前記と同様に雄ネジ加工（Ｍ４）したものを、カートリッジ本体（１０）の取り付け口（９ｐ）に取り付け、図１８に示す本発明のカートリッジ（１２）を作成した。
【００５９】
洗浄液リザーバー１（１１ｈ）：０．２ｍｌの０．５％ラウリル硫酸ナトリウム、１００ｍＭの塩化ナトリウム、２５ｍＭのＥＤＴＡ（エチレンジアミン４酢酸）を含むｐＨ＝７．６の１０ｍＭのトリス緩衝液（トリスヒドロキシメチルアミノメタン／塩酸）
洗浄液リザーバー２（１１ｉ）：０．２ｍｌの１Ｍの塩化ナトリウムを含むｐＨ＝７．４の１０ｍＭのリン酸ナトリウム緩衝液
洗浄液リザーバー３（１１ｊ）：０．２ｍｌのＴＥ緩衝液（１ｍＭのＥＤＡＴを含む１０ｍＭのトリス緩衝液）
核酸増幅反応試薬リザーバー１（１１ｋ）：５０μｌの牛胎児胚雌雄判別キット（栄研化学）の反応液（プライマー、基質、酵素を含む）
検出試薬リザーバー１（１１ｌ）：、５０μｌの０．２Ｍのβ−メルカプトエタノール水溶液
検出試薬リザーバー２（１１ｍ）：５０μｌの２Ｗ／Ｖ％のモリブデン酸アンモニウムを含む４Ｎの硫酸溶液
洗浄液リザーバー４（１１ｎ）：０．２ｍｌの２Ｎの硫酸溶液
【００６０】
図１９は、カートリッジに加熱装置を配置した様子を示す断面図である。直径１．５ｃｍ、厚さ１ｍｍの銅板（１３ａ）に、ヒーター（１３ｄ）としてセラミック製電気抵抗を、温度センサー（１３ｅ）として熱電対を取り付けた。制御装置（１３ｂ）（Ｅ５ＣＮ−ＲＴＣ、オムロン社製）に、ヒーターと温度センサーを配線して加熱装置とした。ヒーターは定電圧直流電源（１３ｃ）を直列に介して配線した。この加熱装置の銅板部分（１３ａ）を、カートリッジ（１２）の反応槽（１１ａ）の反応槽の上側と下側の部分（１１ｂ）に設置し、反応槽部分が６５度に加熱できるようにした。
【００６１】
牛血液１μｌを、１ｍｌの０．５％ラウリル硫酸ナトリウム、１００ｍＭの塩化ナトリウム、２５ｍＭのＥＤＴＡ（エチレンジアミン４酢酸）を含むｐＨ＝７．６の１０ｍＭのトリス緩衝液で溶解し、核酸を含む検体とした。この検体を、前記と同様に、先端を雄ネジ加工（Ｍ４）したプラスチック製注射筒（２．５ｍｌ、テルモ社製）に入れ、図１８の注入口（１１ｏ）に取り付けた。
弁１（１１ｃ）および弁３（１１ｅ）を開通にし、廃液槽１（１１ｐ）のピストンを引きながら、検体を入れた注射筒のピストンを押して、検体を反応槽に設置した不織布に吸着させた。ついで、廃液槽の注射筒のピストンを引きながら、順に洗浄液リザーバー１〜３（１１ｈ、１１ｉ、１１ｊ）のピストンを押して、合計３回、不織布を洗浄した。
【００６２】
弁１（１１ｃ）を閉じた後、弁２（１１ｄ）を開通にして、核酸増幅試薬リザーバー１（１１ｋ）のピストンを押し、核酸増幅試薬を反応槽（１１ａ）に導いた。弁２（１１ｄ）および弁３（１１ｅ）を閉じた後、制御装置（１３ｂ）を作動させ、反応槽（１１ａ）を６５度に加熱し、３０分間、核酸増幅反応を行った。次に、弁２（１１ｄ）および弁３（１１ｅ）を開通し、廃液槽１（１１ｐ）の注射筒のピストンを引きながら、検出試薬リザーバー１および２（１１ｌおよび１１ｍ）のピストンを同時に押して、検出試薬の混合液を反応槽（１１ａ）に導いた。
【００６３】
２分間反応させた後、廃液槽１（１１ｐ）の注射筒のピストンを引きながら、洗浄液リザーバー４（１１ｎ）のピストンを押して、反応槽にある不織布を洗浄した。加熱装置の銅板部分（１３ａ）を除去し、反応槽の不織布部分の発色の有無を確認した。その結果、図２０に示す写真のように、不織布部分に濃い青色の発色（１４）が観測された。すなわち、本実施例のカートリッジにより、検体中の牛由来の核酸の存在が検出された。
【００６４】
【参考例１】
実施例１において、核酸を含む検体の代わりに、核酸を含まない１ｍｌの０．５％ラウリル硫酸ナトリウム、１００ｍＭの塩化ナトリウムおよび２５ｍＭのＥＤＴＡを含む、ｐＨ＝７．６の１０ｍＭのトリス緩衝液を検体として、同様の実験を行ったところ、反応槽に設置した不織布上には、青色発色は観察されなかった。その結果、検体中に目的の核酸が存在しない場合は、このカートリッジでは、検出されないことが確認された。
【００６５】
【実施例２】
実施例１において、不織布の代わりに、濾紙（ワットマン社製）を用いてカートリッジを作成した。シリコンゴムパッキンの代わりに、ナイロン製のメッシュを濾紙と同じ直径７ｍｍの大きさに切断し、濾紙の裏面に重ねて反応槽に設置した。
実施例１と同様の操作を行い、反応槽に設置した濾紙の発色を観察した。その結果、実施例１と同様に反応槽の濾紙部分に濃い青色の発色がみられた。すなわち、このカートリッジにより、牛血液中の牛由来の核酸が検出された。
【００６６】
【実施例３】
実施例１において、洗浄液リザーバー４、検出試薬リザーバー２を省略し、検出試薬リザーバー１に検出試薬として、サイバーグリーン（ＳＹＢＲ（登録商標）Ｇｒｅｅｎ、Ｍｏｌｅｃｕｌａｒ  Ｐｒｏｂｅｓ社製）のＤＭＳＯに溶解された原液を１／１００００に希釈した溶液を１００μｌ注入した。また、実施例１に示すリザーバー、廃液槽１以外に、さらに廃液槽２（１１ｑ）として、プラスチック製注射筒（１ｍｌ、テルモ社製）の先端を、前記と同様に雄ネジ加工（Ｍ４）したものを、カートリッジの取り付け口（９ｑ）に取り付けた。
【００６７】
核酸増幅反応の前工程まで、実施例１と同様の操作を行い、核酸増幅反応後、弁２（１１ｄ）、弁４（１１ｆ）を開通にし、検出試薬リザーバー１（１１ｌ）のピストンを押し、核酸増幅反応後の液と検出試薬１の混合液を反応槽を経由して検出槽（１１ｒ）に導いた。
この検出槽（１１ｒ）に、干渉フィルター（４７０ｎｍ：Ｅｄｍｕｎｄ  Ｉｎｄｕｓｔｒｉａｌ  Ｏｐｔｉｃｓ社製）を通した青色発光ダイオード（ＨｅｗｌｅｔＰａｃｋａｒｄ社製）の励起光を、カートリッジの下方から当て、別の干渉フィルター（５４０ｎｍ：Ｅｄｍｕｎｄ  Ｉｎｄｕｓｔｒｉａｌ  Ｏｐｔｉｃｓ社製）を通して、カートリッジ上方から検出槽（１１ｒ）の放出光を肉眼で観察した。その結果、緑色の蛍光が確認された。すなわち、このカートリッジにより検体中の牛由来の核酸の存在が検出された。
【００６８】
【実施例４】
第一カートリッジを作成した。図２１は、第一のカートリッジ（２０）の平面図、図２２は、そのＩ−Ｉ’における断面図である。第一のカートリッジは、注入口（２１ｂ）として、Ｍ４の雌ネジ穴を加工した外形５ｍｍ、内径３ｍｍ、長さ１０ｍｍのポリプロピレン製の円筒（２１ｃ）、２枚の外形３ｍｍ、内径２ｍｍのテフロン（登録商標）製ワッシャー（２１ｄ）、および直径３ｍｍのポリエレンテレフタレート製の不織布（２１ｅ）（旭化成社製）から構成されている。
このカ―トリッジにおける反応槽（２１ｆ）は、円筒の内側の、図２２の図中に薄い円形で示す不織布の近傍の部分である。排出口（２１ｇ）は注入口（２１ｂ）と反対側の円筒の末端である。
【００６９】
３本のプラスチック製注射筒（１ｍｌ、テルモ社製）の先端を、第一カートリッジの注入口（２１ｂ）の雌ネジ穴とかみ合うように雄ネジに加工（Ｍ４）した。この注射筒にそれぞれ、下記溶液を充填し、洗浄液リザーバー５〜７とした。
洗浄液リザーバー５：０．２ｍｌの０．５％ラウリル硫酸ナトリウム、１００ｍＭの塩化ナトリウム、２５ｍＭのＥＤＴＡ（エチレンジアミン４酢酸）を含むｐＨ＝７．６の１０ｍＭのトリス緩衝液（トリスヒドロキシメチルアミノメタン／塩酸）
洗浄液リザーバー６：０．２ｍｌの１Ｍの塩化ナトリウムを含むｐＨ＝７．４の１０ｍＭのリン酸ナトリウム緩衝液
洗浄液リザーバー７：０．２ｍｌのＴＥ緩衝液（１ｍＭのＥＤＡＴを含む１０ｍＭのトリス緩衝液）
【００７０】
図２３〜図２８に示す３種類の基板（２２ａ、２３ａ、２４ａ）を、それぞれアクリル板で作成した。図２３は、直径１．６ｍｍの多数の穴（２２ｂ）、直径５ｍｍの１個の穴（２２ｃ）、およびＭ４の４個の雌ネジ穴（２２ｄ）が設けられた縦３０ｍｍ、横８０ｍｍ、厚さ３ｍｍの基板（２２ａ）の平面図、図２４は、図２３のＪ−Ｊ’に沿って切断した断面図、図２５は、直径１．６ｍｍの多数の穴（２３ｂ）、直径５ｍｍの１個の穴（２３ｃ）、および直径１ｍｍの４個の穴（２３ｄ）が設けられた縦３０ｍｍ、横８０ｍｍ、厚さ３ｍｍの基板（２３ａ）の平面図、図２６は、図２５のＫ−Ｋ’に沿って切断した断面図、図２７は、直径１．６ｍｍの多数の穴（２４ｂ）、および幅０．５ｍｍ、深さ０．５ｍｍの１本の溝（２４ｃ）が設けられた縦３０ｍｍ、横８０ｍｍ、厚さ１ｍｍの基板（２４ａ）の平面図、図２８は、図２７のＬ−Ｌ’に沿って切断した断面図である。
【００７１】
図２９および３０に示す気密板（２５ａ）を、シリコンゴム板で作成した。図２９は、直径１．６ｍｍの多数の穴（２５ｂ）、直径５ｍｍの１個の穴（２５ｃ）、および直径１ｍｍの４個の穴（２５ｄ）を設けた縦３０ｍｍ、横８０ｍｍ、厚さ１ｍｍの気密板（２５ａ）の平面図、図３０は、図２９のＭ−Ｍ’に沿って切断した断面図である。
各基板（２２ａ、２３ａ、２４ａ）、２枚の気密板（２５ａ）、およびステンレス製鍋ネジとナット（２６ａ）（Ｍ１．６、長さ１２ｍｍ）を用いて、第二カートリッジ本体（２７）を作成した。第二カートリッジ本体の平面図を図３１、そのＮ−Ｎ’に沿って切断した断面図を図３２に示す。
【００７２】
各リザーバーとして、４本のプラスチック製注射筒（１ｍｌ、テルモ社製）の先端を、基板２２ａ（図２３）のＭ４の雌ネジ穴とかみ合うように雄ネジに加工（Ｍ４）した。各注射筒に、下記に示す所定の溶液を充填した後、先端部分に、破損可能なシール材として、直径３ｍｍの円形に切断したパラフィルムを貼付した。第二カートリッジ本体部分（２７）の取り付け口（２６ｄ、２６ｅ、２６ｆ、２６ｇ）に、各リザーバーをそれぞれ取り付け第二カートリッジを作成した。図３３に、第二カートリッジ（２９）に第一カートリッジを結合させた状態を示す。
【００７３】
核酸増幅反応試薬リザーバー２（２８ｄ）：５０μｌの牛胎児胚雌雄判別キット（栄研化学）の反応液（プライマー、基質、酵素を含む）
検出試薬リザーバー４（２８ｅ）：５０μｌの０．２Ｍのβ−メルカプトエタノール水溶液
検出試薬リザーバー５（２８ｆ）：５０μｌの２Ｗ／Ｖ％のモリブデン酸アンモニウムを含む４Ｎの硫酸溶液
洗浄液リザーバー８（２８ｇ）：０．２ｍｌの２Ｎの硫酸溶液
牛血液１μｌを、１ｍｌの０．５％ラウリル硫酸ナトリウム、１００ｍＭの塩化ナトリウム、２５ｍＭのＥＤＴＡ（エチレンジアミン４酢酸）を含むｐＨ＝７．６の１０ｍＭのトリス緩衝液で溶解し、核酸を含む検体とした。この検体を、図２２の雌ネジ孔とかみ合うように先端を雄ネジ加工（Ｍ４）したプラスチック製注射筒（２．５ｍｌ、テルモ社製）に入れ、第一カートリッジの注入口（２１ｂ）に取り付けた。
【００７４】
注射筒のピストンを押して試料を第一カートリッジ内に導き、排出口（２１ｇ）から廃液した。注入口の注射筒を洗浄液リザーバー５に取り替え、ピストンを押して洗浄を行った。同様の操作を、洗浄液リザーバー６、洗浄液リザーバー７で行った。洗浄液リザーバー７（２８ｂ）を取り付けたまま、第一カートリッジ（２８ａ）を、第二カートリッジに結合させた。この挿入状態を図３３に示した。すなわち、第一カートリッジ（２０）の下部が、図２３の２２ｃ、図２５の２３ｃ、図２９の２５ｃにより形成された第二カートリッジ本体（２７）の接合部（２６ｂ）に挿入され、第一カートリッジの排出口（２１ｇ）が、第二カートリッジの接合口（２６ｃ）と連通する。第一カートリッジの注入口（２１ｂ）は、接合後は、排出口となるので、第一カートリッジに取り付けられた洗浄液リザーバー７（２８ｂ）は、廃液を溜める廃液槽となる。
【００７５】
第二カートリッジの核酸増幅反応試薬リザーバー２（２８ｄ）のピストンを押して、核酸増幅試薬を反応槽（２１ｆ）に導いた。そのまま、カートリッジ全体を６５℃の恒温に保たれているインキュベーターに入れ、３０分間、核酸増幅反応を行った。次に、検出試薬リザーバー４（２８ｅ）と検出試薬リザーバー５（２８ｆ）のピストンを同時に押し、検出試薬を反応槽に導いた。２分反応させた後、洗浄液リザーバー８（２８ｇ）ピストンを押すと同時に第一カートリッジに残した洗浄液リザーバー７（２８ｂ）のピストンを引いて、反応槽（２１ｆ）にある不織布（２１ｅ）を洗浄した。その後、不織布部分の発色の有無を第二カートリッジの底面から目視によって確認した。その結果、不織布部分に濃い青色の発色が観測された。すなわち、本実施例のカートリッジにより、検体中の牛由来の核酸の存在が検出された。
【００７６】
【発明の効果】
本発明により、核酸を含有する検体から特定の配列の核酸を増幅させ、核酸増幅反応物の有無を検出することができ、特定の配列の核酸について、検体中の存在の有無を簡便に高感度に検出することが可能になる。そのため、検体中の特定微生物の存在を検出する場合や、人の遺伝子診断を行ったりする場合において、高感度の検出が容易に達成される。すなわち、本発明による核酸検出用カートリッジを使って、医療分野、食品分野、環境分野等における遺伝子診断を、簡便、迅速、安全に行うことが可能になる。
【図面の簡単な説明】
【図１】本発明のカートリッジを構成する基板（１ａ）の平面図。
【図２】図１のＡ−Ａ’における断面図。
【図３】本発明のカートリッジを構成する基板（２ａ）の平面図。
【図４】図３のＢ−Ｂ’における断面図。
【図５】本発明のカートリッジを構成する基板（３ａ）の平面図。
【図６】図５のＣ−Ｃ’における断面図。
【図７】本発明のカートリッジを構成する基板（４ａ）の平面図。
【図８】図７のＤ−Ｄ’における断面図。
【図９】本発明のカートリッジを構成する気密板（５ａ）の平面図。
【図１０】図９のＥ−Ｅ’における断面図。
【図１１】本発明のカートリッジを構成する気密板（６ａ）の平面図。
【図１２】図１１のＦ−Ｆ’における断面図。
【図１３】本発明のカートリッジを構成する気密板（７ａ）の平面図。
【図１４】図１３のＧ−Ｇ’における断面図。
【図１５】本発明のカートリッジを構成する棒状部材（８）の平面図。
【図１６】本発明のカートリッジの本体部分の平面図。
【図１７】図１６のＨ−Ｈ’における断面図。
【図１８】本発明の核酸検出用カートリッジの模式図。
【図１９】カートリッジに加熱装置を配置した様子を示す断面図。
【図２０】実施例１おいて、核酸が検出されたことを示す有色の沈殿部の写真。
【図２１】本発明の第一カートリッジの平面図。
【図２２】図２１のＩ−Ｉ’における断面図。
【図２３】本発明の第二カートリッジを構成する基板（２２ａ）の平面図。
【図２４】図２３のＪ−Ｊ’における断面図。
【図２５】本発明の第二カートリッジを構成する基板（２３ａ）の平面図。
【図２６】図２５のＫ−Ｋ’における断面図。
【図２７】本発明の第二カートリッジを構成する基板（２４ａ）の平面図。
【図２８】図２７のＬ−Ｌ’における断面図。
【図２９】本発明の第二カートリッジを構成する気密板（２５ａ）の平面図。
【図３０】図２９のＭ−Ｍ’における断面図。
【図３１】本発明の第二カートリッジの本体部分の組み立て図の平面図。
【図３２】図３１のＮ−Ｎ’における断面図。
【図３３】本発明の第一および第二カートリッジが結合した状態の模式図。
【符号の説明】
１ａ：基板、１ｂ：穴、１ｃ：雌ネジ穴
２ａ：基板、２ｂ：穴、２ｃ：穴、２ｄ：穴、２ｅ：溝
３ａ：基板、３ｂ：穴、３ｃ：穴、３ｄ：穴、３ｅ：溝
４ａ：基板、４ｂ：穴、４ｅ：溝
５ａ：気密板、５ｂ：穴、５ｃ：穴、５ｄ：穴
６ａ：気密板、６ｂ：穴、６ｃ：穴、６ｄ：穴、６ｅ：穴
７ａ：気密板、７ｂ：穴、７ｃ：穴、７ｄ：穴、７ｅ：穴
８：棒状部材
９ａ：不織布、９ｂ：パッキン
９ｃ：弁取り付け穴、９ｄ：弁取り付け穴
９ｅ：弁取り付け穴、９ｆ：弁取り付け穴
９ｇ：鍋ネジとナット
９ｈ：リザーバー取り付け口、９ｉ：リザーバー取り付け口
９ｊ：リザーバー取り付け口、９ｋ：リザーバー取り付け口
９ｌ：リザーバー取り付け口、９ｍ：リザーバー取り付け口
９ｎ：リザーバー取り付け口
１０：カートリッジ本体
１１ａ：反応槽
１１ｂ：反応槽の上下部分
１１ｃ：弁１、１１ｄ：弁２
１１ｅ：弁３、１１ｆ：弁４
１１ｈ：洗浄液リザーバー１、１１ｉ：洗浄液リザーバー２
１１ｊ：洗浄液リザーバー３、１１ｋ：核酸増幅反応試薬リザーバー１
１１ｌ：検出試薬リザーバー１、１１ｍ：検出試薬リザーバー２
１１ｎ：洗浄液リザーバー４、１１ｏ：注入口
１１ｐ：廃液槽１、１１ｑ：廃液槽２
１１ｒ：検出槽
１２：カートリッジ
１３ａ：銅板、１３ｂ：制御装置、１３ｃ：電源
１３ｄ：ヒーター、１３ｅ：温度センサー
１４：不織布部分の青色沈殿
２０：第一カートリッジ
２１ｂ：注入口、２１ｃ：円筒
２１ｄ：ワッシャー、２１ｅ：不織布、
２１ｆ：反応槽、２１ｇ：排出口、
２２ａ：基板、２２ｂ：穴、２２ｃ：穴、２２ｄ：雌ネジ穴
２３ａ：基板、２３ｂ：穴、２３ｃ：穴、２３ｄ：穴
２４ａ：基板、２４ｂ：穴、２４ｃ：溝
２５ａ：気密板、２５ｂ：穴、２５ｃ：穴、２５ｄ：穴
２６ａ：鍋ネジとナット
２６ｂ：接合部、２６ｃ：接合口
２６ｄ：リザーバー取り付け口、２６ｅ：リザーバー取り付け口
２６ｆ：リザーバー取り付け口、２６ｇ：リザーバー取り付け口
２７：第二カートリッジ本体
２８ａ：第一カートリッジ
２８ｂ：洗浄液リザーバー７
２８ｄ：核酸増幅反応試薬リザーバー２，２８ｅ：検出試薬リザーバー４
２８ｆ：検出試薬リザーバー５、２８ｇ：洗浄液リザーバー８
２９：第二カートリッジ
【図１】
2004208512.tif 000003
【図２】
2004208512.tif 000004
【図３】
2004208512.tif 000005
【図４】
2004208512.tif 000006
【図５】
2004208512.tif 000007
【図６】
2004208512.tif 000008
【図７】
2004208512.tif 000009
【図８】
2004208512.tif 000010
【図９】
2004208512.tif 000011
【図１０】
2004208512.tif 000012
【図１１】
2004208512.tif 000013
【図１２】
2004208512.tif 000014
【図１３】
2004208512.tif 000015
【図１４】
2004208512.tif 000016
【図１５】
2004208512.tif 000017
【図１６】
2004208512.tif 000018
【図１７】
2004208512.tif 000019
【図１８】
2004208512.tif 000020
【図１９】
2004208512.tif 000021
【図２０】
2004208512.tif 000022
【図２１】
2004208512.tif 000023
【図２２】
2004208512.tif 000024
【図２３】
2004208512.tif 000025
【図２４】
2004208512.tif 000026
【図２５】
2004208512.tif 000027
【図２６】
2004208512.tif 000028
【図２７】
2004208512.tif 000029
【図２８】
2004208512.tif 000030
【図２９】
2004208512.tif 000031
【図３０】
2004208512.tif 000032
【図３１】
2004208512.tif 000033
【図３２】
2004208512.tif 000034
【図３３】
2004208512.tif 000035